(57)【要約】【課題】精神的な高揚作用が認められる新たな成分を見出し、これを含有する精神高揚用香料組成物を作出すること。【解決手段】ピペリトン、アンゲリカ酸イソアミル、アンゲリカ酸フェニルエチル、クミンアルコール、メンタラクトン、ミリスチン酸エチル、および、ペリラアルデヒドに、精神高揚効果が認められることを見出し、これらの成分を含有する香料組成物を提供することにより、上記の課題を解決するに至った。【選択図】なし【特許請求の範囲】
【請求項１】
ピペリトン、アンゲリカ酸イソアミル、アンゲリカ酸フェニルエチル、クミンアルコール、メンタラクトン、ミリスチン酸エチル、および、ペリラアルデヒドからなる群から選ばれる１種または２種以上の成分を含有する、精神高揚用香料組成物。
【請求項２】
含有成分のうち、少なくとも１つがペリラアルデヒドであり、かつ、さらにペリラアルコールを含有する、請求項１記載の精神高揚用香料組成物。
【請求項３】
請求項１または２記載の精神高揚用香料組成物を含有する外用組成物。
【請求項４】
外用組成物の製品形態が化粧料である、請求項３記載の外用組成物。
【請求項５】
請求項１または２記載の精神高揚用香料組成物を含有する雑貨類。
【発明の詳細な説明】
【技術分野】
【０００１】  本発明は、特定の心理的な作用を有する香料組成物に関する発明であり、さらに、具体的には、精神を高揚させる作用を有する、精神高揚用香料組成物に関する発明である。
【背景技術】
【０００２】  ストレスにより、生理的または心理的に、様々な影響が認められることが明らかになっている。特に、ストレス社会ともいわれる現代社会においては、各種のストレスに対して、どのように対処するかということが、非常に重要な問題となっている。【０００３】  ストレスが人間に及ぼす影響として、うつ傾向が挙げられる。このうつ傾向は、病的な状態までには至らずに、通常の日常生活を送る中でも多く認められ、このようなうつ傾向を軽減する手段を提供することが、重要なテーマの一つとなっている。【０００４】  うつ傾向の軽減手段として、近年、特に、アロマセラピーが注目されている。具体的には、伝承的に覚醒効果があることが知られている天然香料を用いて、精神的な高揚効果を得ることにより、うつ傾向を軽減しようとする試みがなされている。【０００５】  しかしなから、精神的な高揚効果を発揮すべき天然香料の選択や調合は、アロマテラピーの熟練者の経験的な判断によるところが大きく、その効果も、必ずしも明確でない面も認められる。これは、アロマテラピーに用いられる精油等の天然香料が、多種多様な成分からなることに、大きく起因しているものと考えられる。【０００６】  そこで、より普遍的な精神的な高揚効果を得ることを目的として、この高揚効果をもたらす成分を見出し、これを配合した香料組成物を得る試みがなされている。例えば、特開平１−２５４６２９号公報には、精神的な高揚効果が認められると伝承されているレモン油を減圧蒸留して得た、ある分画成分に、意識水準を高揚させる効果があり、しかも、これを添加した香料組成物等を、気化して、吸引させることにより、精神的な高揚効果が発揮され得ることが記載されている。また、特開平１１−１９６２９５号公報には、単一化合物であるアニスアルデヒドに、精神的な高揚効果が認められ、これを添加した香料組成物の同高揚効果について記載されている。
【発明の概要】
【発明が解決しようとする課題】
【０００７】  しかしながら、実際に、精神的な高揚効果を、多様な生活場面やアロマセラピーにおいて得るためには、多くの人の香りに対する嗜好や、生活場面に応じて併用する各種の香料との相性に応じて、容易に適切な処方を作成可能であることが必要である。そのためには、より多様な精神的な高揚効果を発揮し得る成分を見出すことが必要となる。【０００８】  また、各種の香料組成物等に添加し、しかも、その基調とする香気に大きな影響を与えないで、精神高揚を図るためには、より多種にわたる精神的な高揚効果が認められる成分を見出す必要がある。【０００９】  そこで、本発明が解決するべき課題は、精神的な高揚作用が認められる新たな成分を見出し、これを含有する精神高揚用香料組成物を作出することにある。
【課題を解決するための手段】
【００１０】  本発明者は、この課題を解決するために、数多くの成分について、精神高揚効果に関する検討を行った。その結果、天然精油に含まれる成分のうち、ピペリトン、アンゲリカ酸イソアミル、アンゲリカ酸フェニルエチル、クミンアルコール、メンタラクトン、ミリスチン酸エチル、および、ペリラアルデヒドに、精神的な高揚効果（以下、精神高揚効果ともいう）が認められることを見出し、精神高揚用香料組成物に係わる本発明を完成した。【００１１】  すなわち、本発明は、ピペリトン、アンゲリカ酸イソアミル、アンゲリカ酸フェニルエチル、クミンアルコール、メンタラクトン、ミリスチン酸エチル、および、ペリラアルデヒドからなる群から選ばれる１種または２種以上の成分を含有する、精神高揚用香料組成物（以下、本精神高揚用組成物ともいう）を提供する発明である。【００１２】  本発明において、精神高揚用香料組成物とは、これを用いることにより、使用者に精神的な高揚感を与える効果を発揮する香料組成物を意味する。精神高揚用香料組成物は、これを、化粧料等の外用組成物、部屋用の消臭剤やアロマキャンドル等の雑貨類、食品組成物等に含有させて、これらの製品に精神高揚作用を付与することができる。精神高揚効果とは、例えば、ヒトが日常生活で経験する眠気、疲労感、惰気等の生理的心理状態から開放し、気分を爽快にすると共に、精神活動を活発化する効果を意味するものであり、パネルを用いた官能テストや、精神的な高揚感を検出可能な指標（例えば、ＣＮＶ測定等）により確認することが可能である。
【発明の効果】
【００１３】  本発明により、精神的な高揚効果が認められる新たな成分が見出され、これを含有成分とする精神高揚用香料組成物、並びに、この精神高揚用香料組成物を含有する外用組成物および雑貨類が提供される。
【図面の簡単な説明】
【００１４】
【図１】本精神高揚用組成物の含有成分である、ピペリトン、アンゲリカ酸イソアミル、クミンアルコール、メンタラクトン、ミリスチン酸エチル、アンゲリカ酸フェニルエチルについてのＣＮＶ測定結果を示す図面である。
【図２】本精神高揚用組成物の含有成分である、ペリラアルデヒドについてのＣＮＶ測定結果を示す図面である。
【図３】ペリラアルデヒドとペリラアルコールとの相乗的な精神高揚効果について検討した結果を示す図面である。
【発明を実施するための形態】
【００１５】  以下、本発明の実施の形態について説明する。
本精神高揚用組成物の含有成分である、ピペリトン（Ｐｉｐｅｒｉｔｏｎｅ）、すなわち、ｐ−Ｍｅｎｔｈ−１−ｅｎ−３−ｏｎｅは、ミント様の香気を有する香料として知られている。ピペリトンは、例えば、和種ハッカやユーカリ等の精油から、常法により単離精製して、本発明において用いることが可能であり、市販品を用いることも可能である。
【００１６】  アンゲリカ酸イソアミル（Ｉｓｏａｍｙｌ  ａｎｇｅｌａｔｅ）、すなわち、Ｉｓｏａｍｙｌ（Ｚ）−２−ｍｅｔｈｙｌ−２−ｂｕｔｅｎｏａｔｅは、ローマカミツレ様、ダマスコン様ローズ的フローラル香を有する香料として知られている。アンゲリカ酸イソアミルは、常法により製造して、本発明において用いることが可能であり、市販品を用いることも可能である。
【００１７】  アンゲリカ酸フェニルエチル（２−Ｐｈｅｎｙｌｅｔｈｙｌ  ａｎｇｅｌａｔｅ）、すなわち、２−Ｐｈｅｎｙｌｅｔｈｙｌ（Ｚ）−２−ｍｅｔｈｙｌ−２−ｂｕｔｅｎｏａｔｅは、オリス的新鮮なバラの花びら様香気を有する香料として知られている。アンゲリカ酸フェニルエチルは、常法により製造して、本発明において用いることが可能であり、市販品を用いることも可能である。
【００１８】  クミンアルコール（Ｃｕｍｉｎｙｌ  ａｌｃｏｈｏｌ）、すなわち、４−Ｉｓｏｐｒｏｐｙｌｂｅｎｚｙｌ  ａｌｃｏｈｏｌは、温和なオイリー、スパイシー、フローラル香を有する香料として知られている。クミンアルコールは、例えば、クミン等の精油から、常法により単離精製して、本発明において用いることが可能であり、市販品を用いることも可能である。
【００１９】  メンタラクトン（Ｍｅｎｔｈａｌａｃｔｏｎｅ）、すなわち、３，６−Ｄｉｍｅｔｈｙｌ−５，６，７，７ａ−ｔｅｔｒａｈｙｄｒｏ−２（４Ｈ）−ｂｅｎｚｏｆｕｒａｎｏｎｅは、甘いクマリン、ココナッツ様香気を有する香料として知られている。メンタラクトンは、例えば、ミント等の精油から、常法により単離精製して、本発明において用いることが可能であり、市販品を用いることも可能である。
【００２０】  ミリスチン酸エチル（Ｅｔｈｙｌ  ｍｙｒｉｓｔａｔｅ）、すなわち、Ｅｔｈｙｌ  ｔｅｔｒａｄｅｃａｎｏａｔｅは、甘いオリス様ワックス香を有する香料として知られている。ミリスチン酸エチルは、例えば、アプリコット等の精油から、常法により単離精製して、本発明において用いることが可能であり、市販品を用いることも可能である。
【００２１】  ペリラアルデヒド（Ｐｅｒｉｌｌａ  ａｌｄｅｈｙｄｅ）、すなわち、ジヒドロクミニルアルデヒドは、シソおよびクミン様の薬草的な香気を有する香料として知られている。ペリラアルデヒドは、例えば、シソ油等の精油から、常法により単離精製して、本発明において用いることが可能であり、市販品を用いることも可能である。
【００２２】  本精神高揚用組成物の含有成分として、少なくともペリラアルデヒドを選択する場合には、さらに、含有成分として、ペリラアルコール（Ｐｅｒｉｌｌａ  ａｌｃｏｈｏｌ）を組み合わせて用いることが、精神高揚効果をさらに向上させることが可能であり、好適である。ペリラアルコール、すなわち、ジヒドロクミニルアルコールは、ハーバル、ウッディ、オイル様フローラル香を有する香料として知られている。ペリラアルコールは、例えば、シソ等の精油から、常法により単離精製して、本発明において用いることが可能であり、市販品を用いることも可能である。
【００２３】  このように、ペリラアルデヒドとペリラアルコールを組み合わせて、本精神高揚用組成物の含有成分として用いることにより、相乗的な精神高揚効果を得ることができる。
【００２４】  本精神高揚用組成物は、必須の含有成分である、ピペリトン、アンゲリカ酸イソアミル、アンゲリカ酸フェニルエチル、クミンアルコール、メンタラクトン、ミリスチン酸エチル、および、ペリラアルデヒドからなる群から選ばれる１種または２種以上の成分（含有成分として、少なくともペリラアルデヒドを選択する場合には、ペリラアルコールを含有成分として含む）そのものからなる香料組成物であってもよいし、香りの嗜好性を向上させる等のために、他の香料成分や精油等を、所望する精神高揚効果が、ハーモナージュ効果やマスキング効果等で相殺されない限度内で、適宜、含有させてもよい。本精神高揚用組成物は、主に、調合香料として用いることができる。また、本精神高揚用組成物には、一般的に香料組成物において含有させることができる一般成分、例えば、抗酸化剤、防腐剤、キレート剤、紫外線吸収剤、色素等を含有させることもできる。
【００２５】  本精神高揚用組成物は、主に、調合香料として、香料を含有させることが可能な対象物に含有させて、精神高揚作用を発揮させることができる。
【００２６】  かかる対象物としては、化粧料等の外用組成物、部屋用の消臭剤や芳香剤やアロマキャンドル等の雑貨類、食品組成物等が挙げられるが、これらに限定されるものではない。
【００２７】  これらの対象物におげる、本精神高揚用組成物の含有量は、精神高揚効果が発揮され得る限度内で、対象物の種類や選択する香料の種類等に応じて自由に選択することが可能であり、通常は、調合香料の一般的な含有量に準じて選択することが可能である。一般的に、対象物に対して０．０１〜５０．０質量％であることが好適であり、同０．１〜２０．０質量％であることが特に好適であり、同１．０〜１０．０質量％であることが極めて好適である場合が多い。
【００２８】  本精神高揚用組成物を対象物に含有させる場合、精神高揚効果を有する含有成分（ピペリトン、アンゲリカ酸イソアミル、アンゲリカ酸フェニルエチル、クミンアルコール、メンタラクトン、ミリスチン酸エチル、および、ペリラアルデヒドからなる群から選ばれる１種または２種以上）の総量は、対象物に対して０．０００５〜５０．０質量％であることが、一般的に好適であり、同０．０１〜２０．０質量％であることが、嗜好性を考慮すると、特に好適であり、さらに、同１．０〜１０．０質量％であることが、極めて好適である場合が多い。かかる含有成分量が対象物に対して０．０００５質量％未満であると、他の配合成分の影響を最小限にしても、十分な精神高揚効果が発揮されない傾向があり、同５０．０質量％を超えて配合しても、精神高揚効果を有する成分の含有量に見合った、精神高揚効果の向上は認められなくなり、香気のバランスが一般的に好ましくない傾向が認められる。
【００２９】  前述のように、含有成分として、ペリラアルデヒドを選択する場合には、ペリラアルコールを組み合わせて用いることが好適である。この場合のペリラアルコールの配合量は、対象物に対して０．０００５〜５０．０質量％が好適であり、同０．０１〜２０．０質量％が特に好適であり、同１．０〜１０．０質量％が極めて好適である。
【００３０】  本精神高揚用組成物を含有させる対象物には、本精神高揚用組成物以外に、対象物の種類に応じた一般的な構成要素が、本発明の所期の効果を失わない範囲内で用いられる。
【００３１】  例えば、対象物が、化粧料等の外用組成物である場合には、外用組成物の具体的な剤型（液剤、粉末剤、顆粒剤、エアゾル剤、固形剤、ジェル剤等）や製品形態に応じて、これらの外用組成物に含有される一般的な成分を、本精神高揚用組成物の他に含有させることができる。
【００３２】  なお、外用組成物としての最も好適な態様の一つである化粧料としては、例えば、香水、オードトワレ、オーデコロン、クリーム・乳液類、化粧水、ファンデーション類、粉白粉、口紅、ポマード、石鹸、シャンプー・リンス類、ボディーシャンプー、ボディーリンス、ボディーパウダー類、浴剤等が、具体的な製品形態として例示される。
【００３３】  また、日用雑貨としては、部屋用の芳香剤や消臭剤、アロマキャンドル等が、具体的な製品形態として例示される。
【００３４】  なお、本発明は、本精神高揚用組成物を吸引させることにより、精神を高揚する精神高揚方法を提供する発明でもある。
【００３５】  本精神高揚用組成物を吸引させる対象は、通常は人間であるが、犬や猫等の哺乳動物であってもよい。また、吸引させる手段は、通常は、本精神高揚用組成物を含有する対象物（外用組成物、雑貨類、食品組成物等）を介して行われる。すなわち、これらの対象物の通常の使用態様、または、指定された使用態様（例えば、化粧料等の外用組成物の外皮における使用、雑貨類であるアロマキャンドルの着火、芳香剤や消臭剤の部屋における設置や噴霧、食品組成物の飲食等）に従い、対象物に含有された本精神高揚用組成物を、吸引対象が吸引し、本精神高揚用組成物中の、精神高揚成分により、吸引対象の精神が高揚される。
【実施例】
【００３６】  以下、本発明を実施例を用いて、さらに具体的に説明する。なお、％で表した配合量は、配合対象に対する質量％である。【００３７】ＣＮＶ試験
随伴性陰性変動（ＣＮＶ：Ｃｏｎｔｉｎｇｅｎｔ  Ｎｅｇａｔｉｖｅ  Ｖａｒｉａｔｉｏｎ）と呼ばれる、陰性の電位の変化を測定することにより、精神高揚効果の検討を行った。ＣＮＶは、注意、期待、予期等の心理過程、また、意識レベルの変動と連動する、脳の緩徐な電位変動として知られている。【００３８】  精神高揚効果を有する試料を検索するために、警告刺激音から２秒後に運動の開始を意味する光信号が続き、光を認識すると同時に、ボタン押しの運動反応を行うことを、パネルに要求する試験を行う。この一連の繰り返しの中で、試料は、パネルの鼻先（約１０ｃｍ先）に載置されており、呼吸に伴い、パネルは試料の香りを認知することができるようになっている。ＣＮＶ測定のための電極は、パネルの前頭部に装着され、耳たぶとの間の電位記録が測定される。なお、ヒトに、覚醒効果を示すカフェインを内服させると、ＣＮＶの振幅が増大し、鎮静効果を示すニトロゼパムを吸引させると、ＣＮＶの振幅が減少することが報告されている。【００３９】  ＣＮＮの振幅の変動は、音刺激後、４００〜１０００ｍｓｅｃの初期成分に顕著に現れる。よって、この区間のＣＮＮの振幅の変動面積を、ブランク（無臭刺激の場合）を１００％として比較した百分率（％）で表し、これを精神高揚効果についての指標とした。面積変動が１００％以上の場合は、覚醒効果が、１００％以下の場合は、鎮静効果が認められることを示している。【００４０】試験例
（１）試料として、ピペリトン、アンゲリカ酸イソアミル、クミンアルコール、メンタラクトン、ミリスチン酸エチル、アンゲリカ酸フェニルエチル（各々、市販品を用いた）の１％エタノール溶液と、特開平６−１７２７８１号公報等において、鎮静効果が報告されている３−ジメトキシ−５−メチルベンゼン（以下、ＤＭＭＢともいう）と、精神高揚効果が、伝承的に認められているレモンオイル（各々、市販品を用いた）の１％エタノール溶液を調製し、パネルを健康な５名の成人女性として、上記の要領で、ＣＮＶ試験を行った。【００４１】  その結果を、第１図に示す。第１図により、ピペリトン、アンゲリカ酸イソアミル、クミンアルコール、メンタラクトン、ミリスチン酸エチル、アンゲリカ酸フェニルエチルには、レモンオイルと同様に、精神高揚効果が認められることが明らかになった（ＤＭＭＢにおいては鎮静効果が確認された）。【００４２】  （２）試料として、ペリラアルデヒドとペリラアルコール（各々、市販品を用いた）の１％エタノール溶液と、ＤＭＭＢとレモンオイル（各々、市販品を用いた）の１％エタノール溶液を調製し、パネルを健康な５名の成人女性として、上記の要領で、ＣＮＶ試験を行った。【００４３】  その結果を、第２図に示す。第２図により、ペリラアルデヒドとペリラアルコールに精神高揚効果が認められることが明らかになった。特に、ペリラアルデヒドにおいて、レモンオイルと比較しても、極めて強い精神高揚効果が認められた。【００４４】  （３）相乗的精神高揚効果についての検討
試料として、（ｉ）ペリラアルデヒドのみ０．０５％のエタノール溶液、（ｉｉ）ペリラアルコールのみ０．０５％のエタノール溶液、（ｉｉｉ）ペリラアルデヒド０．０５％とペリラアルコール０．０５％のエタノール溶液、を調製し、パネルを健康な５名の成人女性として、上記の要領で、ＣＮＶ試験を行った。【００４５】  結果を第３図に示す。第３図に示す通り、（ｉ）のペリラアルデヒドのみの場合は、上記（２）と同様に、精神高揚効果が認められたが、（ｉｉ）のペリラアルコールの場合は、（２）の場合は、ごくわずかの精神高揚効果が認められるのみだった。しかしなから、（ｉｉｉ）のペリラアルデヒドとペリラアルコールの混合溶液の場合には、著しく精神高揚効果が向上し、ペリラアルデヒドとペリラアルコールを組み合わせて用いることにより、相乗的に精神高揚効果を向上させることができることが明らかとなった。【００４６】  以下に、本精神高揚用組成物の具体的な処方例を実施例として以下に示す。実施例１〜８の本精神高揚用組成物は、上記のＣＮＶ試験により、精神高揚効果が認められた。【００４７】  〔実施例１〕  精神高揚用香料組成物
配合成分 配合量（質量部）
Ｉｓｏａｍｙｌ  ａｎｇｅｌａｔｅ                                      ０．５
Ｃｕｍｉｎｙｌ  ａｌｃｏｈｏｌ                                        ２．０
Ｍｅｎｔｈａｌａｃｔｏｎｅ                                            ０．５
２−Ｐｈｅｎｙｌ  ｅｔｈｙｌ  ａｎｇｅｌａｔｅ                        ０．２
Ｍｅｔｈｙｌ  ｊａｓｍｏｎａｔｅ                                    ２０．０
Ｖｅｒｔｏｆｉｘ                                                    ２０．０
Ｇａｌａｘｏｌｉｄｅ（５０％）                                        ８．０
Ｂｅｒｇａｍｏｔ  ｏｉｌ                                            １０．０
Ｌｅｍｏｎ  ｏｉｌ                                                    ５．０
Ｅｔｈｙｌ  ｌｉｎａｌｏｏｌ                                          ５．０
Ｍｕｓｋ  Ｔ                                                          ５．０
Ｄｉｈｙｄｒｏ  ｍｙｒｃｅｎｏｌ                                      ５．０
Ｍｙｒｃｅｎｙｌ  ａｃｅｔａｔｅ                                      ５．０
Ｇｒａｐｅｆｒｕｉｔ  ｏｉｌ                                          ５．０
Ｏｒａｎｇｅ  ｏｉｌ                                                  ３．０
Ｐｈｅｎｙｌ  ｐｒｏｐｙｌ  ａｌｃｏｈｏｌ                            ２．０
ＤＰＧ                                                                ２．８
Ａｍｂｒｏｘａｎ                                                      １．０
Ｂｅｎｚｙｌ  ａｃｅｔａｔｅ                                          １．０
Ｃａｓｓｉｓ  ｂａｓｅ  ３４５  Ｂ                                    １．０
Ｄｉｍｅｔｏｌ                                                        ０．２
Ｒｏｓｅｍａｒｙ  ｏｉｌ                                              １．０
Ｃａｓｈｍｅｒａｎｅ                                                  ０．５
Ｂａｃｄａｎｏｌ                                                      ０．５
Ｅｓｔｒａｇｏｎ  ｏｉｌ                                              ０．３
Ａｌｌｙｌａｎｙｌ  ｇｌｙｃｏｌａｔｅ                                ０．２
ｃｉｓ−３−Ｈｅｘｅｎｏｌ                                            ０．２
Ｊａｓｍｉｎ  ｏｉｌ                                                  ０．１【００４８】  〔実施例２〕  精神高揚用香料組成物
配合成分 配合量（質量部）
Ｐｉｐｅｒｉｔｏｎｅ                                                  ０．５
Ｉｓｏａｍｙｌ  ａｎｇｅｌａｔｅ                                      ０．５
Ｃｕｍｉｎｙｌ  ａｌｃｏｈｏｌ                                        ２．０
Ｍｅｎｔｈａｌａｃｔｏｎｅ                                            ０．５
２−Ｐｈｅｎｙｌｅｔｈｙｌ  ａｎｇｅｌａｔｅ                          ０．２
Ｈａｂａｎｏｌｉｄｅ                                                ２０．０
Ｖｅｒｔｏｆｉｘ                                                    ２０．０
Ｍｅｔｈｙｌ  ｊａｓｍｏｎａｔｅ                                    ２０．０
Ｌｅｍｏｎ  ｏｉｌ                                                  １０．０
Ｄｉｍｅｔｏｌ                                                        １．０
Ｌａｕｒｅｌ  ｌｅａｆ  ｏｉｌ                                        ５．０
Ｈｅｘｙｌ  ｃｉｎｎａｍｉｃ  ａｌｄｅｈｙｄｅ                        ３．０
Ｓａｎｄａｌｏｒｅ                                                    ２．０
Ｅｔｈｙｌ  ｌｉｎａｌｏｏｌ                                          ２．０
Ｃａｓｈｍｅｒａｎｅ                                                  １．０
Ｃａｓｓｉｓ  ３４５  Ｂ                                              １．０
Ａｍｂｒｅｔｔｏｌｉｄｅ                                              １．０
Ｂａｙ  ｌｅａｆ  ｏｉｌ                                              ０．５
Ｓｔｅｍｏｎｅ                                                        ０．５
Ａｂｓ．Ｐｅｔｉｔｇｒａｉｎ  ｂｉｇａｒａｄｅ                        ０．２
ＤＰＧ                                                                ９．１【００４９】  〔実施例３〕  精神高揚用香料組成物
配合成分 配合量（質量部）
Ｐｉｐｅｒｉｔｏｎｅ                                                  ０．５
Ｉｓｏａｍｙｌ  ａｎｇｅｌａｔｅ                                      ０．５
Ｅｔｈｙｌ  ｍｙｒｉｓｔａｔｅ                                        ０．２
２−Ｐｈｅｎｙｌｅｔｈｙｌ  ａｎｇｅｌａｔｅ                          ０．２
Ｌｅｍｏｎ  ｏｉｌ                                                  １８．０
Ｏｒａｎｇｅ  ｏｉｌ                                                １０．０
Ｂｅｒｇａｍｏｔ  ｏｉｌ                                            １２．０
Ｅｔｈｙｌ  ｌｉｎａｌｏｏｌ                                        １０．０
Ｍｙｒｃｅｎｙｌ  ａｃｅｔａｔｅ                                    １５．０
Ｌｉｍｅ  ｏｉｌ                                                      ３．０
Ｇｅｒａｎｉｕｍ  ｏｉｌ                                              １．５
Ｇａｌａｘｏｌｉｄｅ（５０％）                                      １０．０
Ｃｏｕｍａｒｉｎ                                                      ０．５
Ｌａｖａｎｄｉｎ  ｏｉｌ                                              １．０
Ｓａｎｔａｌｅｘ                                                      ２．０
Ｖｅｒｄｏｘ                                                          ８．０
β−Ｎａｐｈｔｈｙｌｍｅｔｈｙｌ  ｅｔｈｅｒ                          １．０
ＤＰＧ                                                                ６．６【００５０】  〔実施例４〕  精神高揚用香料組成物
配合成分 配合量（質量部）
Ｃｕｍｉｎｙｌ  ａｌｃｏｈｏｌ                                        ０．５
Ｍｅｎｔｈａｌａｃｔｏｎｅ                                            ０．５
β−Ｐｈｅｎｙｌｅｔｈｙｌ  ａｌｃｏｈｏｌ                          １２．０
Ｌｅｍｏｎ  ｏｉｌ                                                  ２０．０
Ｍｅｔｈｙｌ  ｊａｓｍｏｎａｔｅ                                      ８．０
Ｉｓｏｐｒｏｐｙｌ  ｃｙｃｌｏｈｅｘｙｌ  ｍｅｔｈａｎｏｌ            ８．０
β−ｉｏｎｏｎｅ                                                      ７．０
Ｄｉｍｅｔｏｌ                                                        １．５
Ｂｅｒｇａｍｏｔ  ｏｉｌ                                              ５．０
Ｅｔｈｙｌ  ｌｉｎａｌｏｏｌ                                          ５．０
Ｈｅｘｙｌ  ｓａｌｉｃｙｌａｔｅ                                      ９．０
Ｇａｌａｘｏｌｉｄｅ（５０％）                                        ４．０
Ｂｅｎｚｙｌ  ａｃｅｔａｔｅ                                          ５．０
Ｌｉｍｅ  ｏｉｌ                                                      ３．０
Ｍａｎｄａｒｉｎ  ｏｉｌ                                              ２．０
Ｒｏｓｅ  ｏｉｌ                                                      １．０
Ａｂｓ．Ｊａｓｍｉｎ                                                  ２．０
ｃｉｓ−３−Ｈｅｘｅｎｏｌ                                            ０．２
ＤＰＧ                                                                ６．３【００５１】  〔実施例５〕  精神高揚用香料組成物
配合成分 配合量（質量部）
Ｐｅｒｉｌｌａ  ａｌｄｅｈｙｄｅ                                      ０．５
Ｐｅｒｉｌｌａ  ａｌｃｏｈｏｌ                                        １．０
Ｍｅｔｈｙｌ  ｊａｓｍｏｎａｔｅ                                    ２０．０
Ｌｅｍｏｎ  ｏｉｌ                                                  ２０．０
Ｖｅｒｔｉｆｉｘ                                                    １２．０
Ｂｅｒｇａｍｏｔ  ｏｉｌ                                            １０．０
Ｇａｌａｘｏｌｉｄｅ（５０％）                                      １０．０
Ｏｒａｎｇｅ  ｏｉｌ                                                  ７．０
ＤＰＧ                                                                ５．２
Ｅｔｈｙｌ  ｌｉｎａｌｏｏｌ                                          ５．０
Ｍｕｓｋ  Ｔ                                                          ３．０
Ｄｉｍｅｔｈｙｌ  ｅｔｈｙｌ  ｐｈｅｎｙｌ  ｐｒｏｐａｎａｌ          ２．０
Ｉｓｏｐｒｏｐｙｌ  ｃｙｃｌｏｈｅｘｙｌ  ｍｅｔｈａｎｏｌ            ２．０
Ｂｅｎｚｙｌ  ａｃｅｔａｔｅ                                          １．０
Ｄａｍａｓｃｏｎｅ  ａｌｐｈａ（１０％）                              ０．５
Ａｌｌｙｌａｍｙｌ  ｇｌｙｃｏｌａｔｅ                                ０．３
Ｔｒｉｐｌａｌ                                                        ０．２
Ａｍｂｒｏｘａｎ                                                      ０．２
Ｅｕｇｅｎｏｌ                                                        ０．１【００５２】  〔実施例６〕  精神高揚用香料組成物
配合成分 配合量（質量部）
Ｐｅｒｉｌｌａ  ａｌｄｅｈｙｄｅ                                      ０．３
Ｐｅｒｉｌｌａ  ａｌｃｏｈｏｌ                                        ０．７
Ｍｅｔｈｙｌ  ｊａｓｍｏｎａｔｅ                                    ３０．０
Ｌｅｍｏｎ  ｏｉｌ                                                  １０．０
Ｖｅｒｔｏｆｉｘ                                                    １０．０
Ｇａｌａｘｏｌｉｄｅ（５０％）                                      １０．０
Ｄｉｈｙｄｒｏ  ｍｙｒｃｅｎｏｌ                                    １０．０
Ｖｅｒｔｏｆｉｘ  ｃｏｅｕｒ                                          ５．０
Ｍａｎｄａｒｉｎｅ  ｏｉｌ                                            ５．０
Ｌａｖｅｎｄｅｒ  ｏｉｌ                                              ５．０
Ｅｔｈｙｌ  ｌｉｎａｌｏｏｌ                                          ３．０
ＤＰＧ                                                                ３．５
Ｍｙｒｃｅｎｙｌ  ａｃｅｔａｔｅ                                      ２．０
Ｄｉｍｅｔｏｌ                                                        ０．５
Ｃｏｕｍａｒｉｎ                                                      １．０
Ｈｅｘｙｌ  ｓａｌｉｃｙｌａｔｅ                                      １．０
Ｂｅｎｚｙｌ  ａｃｅｔａｔｅ                                          ０．５
Ｐａｔｃｈｏｕｌｉ  ｏｉｌ                                            ０．５
Ｃａｓｓｉｓ  ｂａｓｅ  ３４５  Ｂ                                    ０．５
Ｄａｍａｓｃｅｎｏｎｅ（１０％）                                      ０．５
Ｃｌｏｖｅ  ｏｉｌ                                                    ０．３
Ａｌｌｙｌａｍｙｌ  ｇｌｙｃｏｌａｔｅ                                ０．２
Ｂｌａｃｋ  ｐｅｐｐｅｒ  ｏｉｌ                                      ０．２
Ｊａｓｍｉｎ  ｏｉｌ                                                  ０．２
Ａｍｎｂｒｏｘａｎ                                                    ０．１【００５３】  〔実施例７〕  精神高揚用香料組成物
配合成分 配合量（質量部）
Ｐｅｒｉｌｌａ  ａｌｄｅｈｙｄｅ                                      ０．３
Ｐｅｒｉｌｌａ  ａｌｃｏｈｏｌ                                        ０．７
Ｌｅｍｏｎ  ｏｉｌ                                                  １８．０
Ｏｒａｎｇｅ  ｏｉｌ                                                １０．０
Ｂｅｒｇａｍｏｔ  ｏｉｌ                                            １２．０
Ｅｔｈｙｌ  ｌｉｎａｌｏｏｌ                                        １０．０
Ｍｙｒｃｅｎｙｌ  ａｃｅｔａｔｅ                                    １５．０
Ｌｉｍｅ  ｏｉｌ                                                      ３．０
Ｇｅｒａｎｉｕｍ  ｏｉｌ                                              １．５
Ｇａｌａｘｏｌｉｄｅ（５０％）                                      １０．０
Ｃｏｕｍａｒｉｎ                                                      ０．５
Ｌａｖａｎｄｉｎ  ｏｉｌ                                              １．０
Ｓａｎｔａｌｅｘ                                                      ２．０
Ｖｅｒｄｏｘ                                                          ８．０
β−Ｎａｐｈｔｈｙｌｍｅｔｈｙｌ  ｅｔｈｅｒ                          １．０
ＤＰＧ                                                                ７．０【００５４】  〔実施例８〕  精神高揚用香料組成物
配合成分 配合量（質量部）
Ｐｅｒｉｌｌａ  ａｌｄｅｈｙｄｅ                                      ０．２
Ｐｅｒｉｌｌａ  ａｌｃｏｈｏｌ                                        ０．５
β−Ｐｈｅｎｙｌｅｔｈｙｌ  ａｌｃｏｈｏｌ                          １２．０
Ｌｅｍｏｎ  ｏｉｌ                                                  ２０．０
Ｍｅｔｈｙｌ  ｊａｓｍｏｎａｔｅ                                      ８．０
Ｉｓｏｐｒｏｐｙｌ  ｃｙｃｌｏｈｅｘｙｌ  ｍｅｔｈａｎｏｌ            ８．０
β−ｉｏｎｏｎｅ                                                      ７．０
Ｄｉｍｅｔｏｌ                                                        １．０
Ｂｅｒｇａｍｏｔ  ｏｉｌ                                              ５．０
Ｅｔｈｙｌ  ｌｉｎａｌｏｏｌ                                          ５．０
Ｈｅｘｙｌ  ｓａｌｉｃｙｌａｔｅ                                    １０．０
Ｇａｌａｘｏｌｉｄｅ（５０％）                                        ５．０
Ｂｅｎｚｙｌ  ａｃｅｔａｔｅ                                          ５．０
Ｌｉｍｅ  ｏｉｌ                                                      ３．０
Ｍａｎｄａｒｉｎ  ｏｉｌ                                              ２．０
Ｒｏｓｅ  ｏｉｌ                                                      １．０
Ａｂｓ．Ｊａｓｍｉｎ                                                  ２．０
ｃｉｓ−３−Ｈｅｘｅｎｏｌ                                            ０．２
ＤＰＧ                                                                ５．１【００５５】  以下に、本精神高揚用組成物を含有する外用組成物または雑貨類の典型的な製品形態の処方例を実施例として以下に示す。これらの実施例は、それぞれの製品形態の典型的な使用態様における官能テストにより、精神高揚効果が認められた。【００５６】  〔実施例９〕  化粧水
配合成分 配合量（質量％）
セタノール                                                          ３．５
ＰＯＥオレイルアルコールエーテル                                    ２．０
２−エチルヘキシル−ｐ−ジメチルアミノベンゾエート                  ０．１８
１，３−ブチレングリコール                                          ９．５
ピロリドンカルボン酸ナトリウム                                      ０．５
ニコチン酸アミド                                                    ０．３
グリセリン                                                          ５．０
シリンガアルデヒド                                                  ０．０５
（ｐ−メチルフェニルアセトアルデヒド）
精製水                                                              残  余
＜製法＞
常法により化粧水を得た。【００５７】  〔実施例１０〕  浴剤
配合成分 配合量（質量部）
炭酸水素ナトリウム                                                ７０．０
無水硫酸ナトリウム                                                ２８．８
実施例３の精神高揚用香料組成物                                      １．０
色素Ｙ−２０２−１                                                  ０．２
＜製法＞
香料を除いた成分をＶ型ミキサーにて均一になるまで攪拌した後、精神高揚用香料組成物を加え、さらに均一になるまで充分に攪拌して浴剤を得た。【００５８】  〔実施例１１〕  ゲル芳香剤
配合成分 配合量（質量部）
カラギーナン                                                        ３．０
プロピレングリコール                                                ２．０
プロピルパラベン                                                    ０．３
実施例３の精神高揚用香料組成物                                      ５．０
イオン交換水                                                      ８９．７
＜製法＞
カラギーナン、プロピレングリコール及びプロピルパラベンを混合して攪拌しながらイオン交換水を加え、これを穏やかに攪拌しながら約８０℃になるまで加熱した。その後、約６５℃とし、これをホモジナイザーを用いて３０００ｒｐｍで攪拌しながら、精神高揚用香料組成物を加えて均一な相とした後、所定の容器に流し込み、自然冷却して芳香剤を得た。【００５９】  〔実施例１２〕  リキッドタイプ芳香剤
配合成分 配合量（質量部）
９５％エタノール                                                  ２５．０
界面活性剤                                                          ５．０
実施例３の精神高揚用香料組成物                                      ３．０
イオン交換水                                                      ６７．０
＜製法＞
イオン交換水を除く各成分を混合し、穏やかに攪拌しながらイオン交換水を加え、均一にして芳香剤を得た。なお、界面活性剤としてポリオキシエチレンノニルフェニルエーテルＥＯ−１３を用いた。【００６０】  〔実施例１３〕  リキッドタイプ芳香剤
配合成分 配合量（質量部）
消臭原液ＦＳ−５００Ｍ（白井松新薬株式会社製）                      ５．０
９５％エタノール                                                  １０．０
界面活性剤                                                        １０．０
実施例２の精神高揚用香料組成物                                    １０．０
イオン交換水                                                      ６５．０
＜製法＞
イオン交換水以外の各成分を混合し、穏やかに攪拌しながらイオン交換水を加えて、消臭剤（リキッドタイプ）を得た。なお、界面活性剤としてポリオキシエチレンノニルフェニルエーテルＥＯ−１０を用いた。【００６１】  〔実施例１４〕  エアゾールタイプ消臭剤
配合成分 配合量（質量部）
消臭原液ＦＳ−５００Ｍ                                              ５．０
９５％エタノール                                                  ２０．０
実施例２の精神高揚用香料組成物                                    １０．０
イオン交換水                                                      ４０．０
液化石油ガス（４Ｋｇ／ｃｍ２・２０℃）                            ２５．０
＜製法＞
液化石油ガス以外の成分を混合、攪拌して均一とし、所定の量をエアゾール容器に入れてバルブを取り付けた後、液化石油ガスを注入して消臭剤（エアゾールタイプ）を得た。【００６２】  〔実施例１５〕  浴剤
配合成分 配合量（質量部）
炭酸水素ナトリウム                                                ７０．０
無水硫酸ナトリウム                                                ２８．８
実施例７の精神高揚用香料組成物                                      １．０
色素Ｙ−２０２−１                                                  ０．２
＜製法＞
香料を除いた成分をＶ型ミキサーにて均一になるまで攪拌した後、精神高揚用香料組成物を加え、さらに均一になるまで充分に攪拌して浴剤を得た。【００６３】  〔実施例１６〕  ゲル芳香剤
配合成分 配合量（質量部）
カラギーナン                                                        ３．０
プロピレングリコール                                                ２．０
プロピルパラベン                                                    ０．３
実施例７の精神高揚用香料組成物                                      ５．０
イオン交換水                                                      ８９．７
＜製法＞
カラギーナン、プロピレングリコール及びプロピルパラベンを混合して攪拌しながらイオン交換水を加え、これを穏やかに攪拌しながら約８０℃になるまで加熱した。その後、約６５℃とし、これをホモジナイザーを用いて３０００ｒｐｍで攪拌しながら精神高揚用香料組成物を加えて均一な相とした後、所定の容器に流し込み、自然冷却して芳香剤を得た。【００６４】  〔実施例１７〕  リキッドタイプ芳香剤
配合成分 配合量（質量部）
９５％エタノール                                                  ２５．０
界面活性剤                                                          ５．０
実施例７の精神高揚用香料組成物                                      ３．０
イオン交換水                                                      ６７．０
＜製法＞
イオン交換水を除く各成分を混合し、穏やかに攪拌しながらイオン交換水を加え、均一にして芳香剤を得た。なお、界面活性剤としてポリオキシエチレンノニルフェニルエーテルＥＯ−１３を用いた。【００６５】  〔実施例１８〕  リキッドタイプ消臭剤
配合成分 配合量（質量部）
消臭原液ＦＳ−５００Ｍ（白井松新薬株式会社製）                      ５．０
９５％エタノール                                                  １０．０
界面活性剤                                                        １０．０
ペリラアルデヒド                                                  １０．０
イオン交換水                                                      ６５．０
＜製法＞
イオン交換水以外の各成分を混合し、穏やかに攪拌しながらイオン交換水を加えて消臭剤（リキッドタイプ）を得た。なお、界面活性剤としてポリオキシエチレンノニルフェニルエーテルＥＯ−１０を用いた。【００６６】  〔実施例１９〕  エアゾールタイプ消臭剤
配合成分 配合量（質量部）
消臭原液ＦＳ−５００Ｍ                                              ５．０
９５％エタノール                                                  ２０．０
ペリラアルデヒド                                                  １０．０
イオン交換水                                                      ４０．０
液化石油ガス（４Ｋｇ／ｃｍ２・２０℃）                            ２５．０
＜製法＞
液化石油ガス以外の成分を混合、攪拌して均一とし、所定の量をエアゾール容器に入れてバルブを取り付けた後、液化石油ガスを注入して消臭剤（エアゾールタイプ）を得た。【００６７】  〔実施例２０〕  クリーム
配合成分 配合量（質量％）
ステアリン酸                                                      １０．０
ステアリルアルコール                                                ４．０
ステアリン酸ブチル                                                  ８．０
ステアリン酸モノグリセリンエステル                                  ２．０
ビタミンＥアセテート                                                ０．５
ビタミンＡパルミテート                                              ０．１
マカデミアナッツ油                                                  １．０
茶実油                                                              ３．０
グリセリン                                                          ４．０
１，２−ペンタンジオール                                            ３．０
ヒアルロン酸ナトリウム                                              １．０
水酸化カリウム                                                      ２．０
アスコルビン酸リン酸マグネシウム                                    ０．１
Ｌ−アルギニン塩酸塩                                                ０．０１
エデト酸三ナトリウム                                                ０．０５
実施例８の精神高揚用香料組成物                                      ０．４
防腐剤                                                              適  量
精製水                                                              残  余
＜製法＞
常法によりクリームを得た。【００６８】  〔実施例２１〕  クリーム
配合成分 配合量（質量％）
セタノール                                                          ４．０
ワセリン                                                            ７．０
イソプロピルミリステート                                            ８．０
スクワラン                                                        １５．０
ステアリン酸モノグリセリンエステル                                  ２．２
ＰＯＥ（２０）ソルビタンモノステアレート                            ２．８
ビタミンＥニコチネート                                              ２．０
グリセリン                                                        １０．０
ヒアルロン酸ナトリウム                                              ０．０２
ジプロピレングリコール                                              ４．０
ピロリドンカルボン酸ナトリウム                                      １．０
実施例８の精神高揚用香料組成物                                      ０．３
エデト酸二ナトリウム                                                ０．０１
酸化防止剤                                                          適  量
防腐剤                                                              適  量
精製水                                                              残  余
＜製法＞
常法によりクリームを得た。【００６９】  〔実施例２２〕  乳液
配合成分 配合量（質量％）
スクワラン                                                          ５．０
オレイルオレート                                                    ３．０
ワセリン                                                            ２．０
ソルビタンセスキオレイン酸エステル                                  ０．８
ＰＯＥ（２０）オレイルエーテル                                      １．２
月見草油                                                            ０．５
１，３−ブチレングリコール                                          ４．５
エタノール                                                          ３．０
カルボキシビニルポリマー                                            ０．２
水酸化カリウム                                                      ０．１
Ｌ−アルギニンＬ−アスパラギン酸塩                                  ０．０１
エデト酸塩                                                          ０．０５
実施例６の精神高揚用香料組成物                                      ０．３
防腐剤                                                              適  量
精製水                                                              残  余
＜製法＞
常法により乳液を得た。
【図１】
2010065233.tif 000002
【図２】
2010065233.tif 000003
【図３】
2010065233.tif 000004
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
精神高揚用香料組成物を製造するための、下記の香料（１）又は（２）の使用。
（１）ペリラアルデヒド
（２）ペリラアルデヒド及びペリラアルコール
【請求項２】
精神高揚用香料組成物は、外用組成物に含有される香料組成物である、請求項１に記載の使用。
【請求項３】
外用組成物の製品形態は化粧料である、請求項２に記載の使用。
【請求項４】
精神高揚用香料組成物は、雑貨類に含有される香料組成物である、請求項１に記載の使用。
【請求項５】
香料組成物に、下記の香料（１）又は（２）を配合することによる、当該香料組成物における精神高揚効果の付与方法。
（１）ペリラアルデヒド
（２）ペリラアルデヒド及びペリラアルコール
【請求項６】
香料組成物は、外用組成物に含有される香料組成物である、請求項５に記載の付与方法。
【請求項７】
外用組成物の製品形態は化粧料である、請求項６に記載の付与方法。
【請求項８】
香料組成物は、雑貨類に含有される香料組成物である、請求項５に記載の付与方法。
【手続補正３】
【補正対象書類名】明細書
【補正対象項目名】０００１
【補正方法】変更
【補正の内容】
【０００１】
本発明は、特定の心理的な作用を有する香料組成物に関する発明であり、さらに、具体的には、精神を高揚させる作用を有する、精神高揚用香料組成物を製造するための香料成分の使用、及び、香料組成物における精神高揚効果の付与方法、に関する発明である。
【手続補正４】
【補正対象書類名】明細書
【補正対象項目名】０００４
【補正方法】変更
【補正の内容】
【０００４】
うつ傾向の軽減手段として、近年、特に、アロマテラピーが注目されている。具体的には、伝承的に覚醒効果があることが知られている天然香料を用いて、精神的な高揚効果を得ることにより、うつ傾向を軽減しようとする試みがなされている。
【手続補正５】
【補正対象書類名】明細書
【補正対象項目名】０００７
【補正方法】変更
【補正の内容】
【０００７】
しかしながら、実際に、精神的な高揚効果を、多様な生活場面やアロマテラピーにおいて得るためには、多くの人の香りに対する嗜好や、生活場面に応じて併用する各種の香料との相性に応じて、容易に適切な処方を作成可能であることが必要である。そのためには、より多様な精神的な高揚効果を発揮し得る成分を見出すことが必要となる。
【手続補正６】
【補正対象書類名】明細書
【補正対象項目名】００１０
【補正方法】変更
【補正の内容】
【００１０】
本発明者は、この課題を解決するために、数多くの成分について、精神高揚効果に関する検討を行った。その結果、天然精油に含まれる成分のうち、特に、ペリラアルデヒドに、精神的な高揚効果（以下、精神高揚効果ともいう）が認められ、さらに、ペリラアルデヒドとペリラアルコールを組み合わせることにより、いっそうの精神高揚効果が発揮されることを見出し、本発明を完成した。
【手続補正７】
【補正対象書類名】明細書
【補正対象項目名】００１１
【補正方法】変更
【補正の内容】
【００１１】
すなわち、本発明は、精神高揚用香料組成物（以下、本精神高揚用組成物ともいう）を製造するための、下記の香料（１）又は（２）の使用、を提供する発明である。
（１）ペリラアルデヒド
（２）ペリラアルデヒド及びペリラアルコール
さらに、本発明は、香料組成物に、上記の香料（１）又は（２）を配合することによる、当該香料組成物における精神高揚効果の付与方法、を提供する発明でもある。
【手続補正８】
【補正対象書類名】明細書
【補正対象項目名】００１４
【補正方法】変更
【補正の内容】
【００１４】
【図１】ピペリトン、アンゲリカ酸イソアミル、クミンアルコール、メンタラクトン、ミリスチン酸エチル、アンゲリカ酸フェニルエチルについてのＣＮＶ測定結果を示す図面である。
【図２】本精神高揚用組成物の含有成分である、ペリラアルデヒドについてのＣＮＶ測定結果を示す図面である。
【図３】ペリラアルデヒドとペリラアルコールとの相乗的な精神高揚効果について検討した結果を示す図面である。
【手続補正９】
【補正対象書類名】明細書
【補正対象項目名】００１５
【補正方法】変更
【補正の内容】
【００１５】
以下、本発明の実施の形態について説明する。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
本精神高揚用組成物の含有成分である、ペリラアルデヒド(Perilla aldehyde)、すなわち、ジヒドロクミニルアルデヒドは、シソおよびクミン様の薬草的な香気を有する香料として知られている。ペリラアルデヒドは、例えば、シソ油等の精油から、常法により単離精製して、本発明において用いることが可能であり、市販品を用いることも可能である。
【手続補正１６】
【補正対象書類名】明細書
【補正対象項目名】００２２
【補正方法】変更
【補正の内容】
【００２２】
本精神高揚用組成物の含有成分として選択されるペリラアルデヒドは、さらに、ペリラアルコール(Perilla alcohol) を組み合わせて用いることで、精神高揚効果をさらに向上させることが可能であり、好適である。ペリラアルコール、すなわち、ジヒドロクミニルアルコールは、ハーバル、ウッディ、オイル様フローラル香を有する香料として知られている。ペリラアルコールは、例えば、シソ等の精油から、常法により単離精製して、本発明において用いることが可能であり、市販品を用いることも可能である。
【手続補正１７】
【補正対象書類名】明細書
【補正対象項目名】００２４
【補正方法】変更
【補正の内容】
【００２４】
本精神高揚用組成物は、必須の含有成分である、ペリラアルデヒド、あるいは、ペリラアルデヒド及びペリラアルコール、そのものからなる香料組成物であってもよいし、香りの嗜好性を向上させる等のために、他の香料成分や精油等を、所望する精神高揚効果が、ハーモナージュ効果やマスキング効果等で相殺されない限度内で、適宜、含有させてもよい。本精神高揚用組成物は、主に、調合香料として用いることができる。また、本精神高揚用組成物には、一般的に香料組成物において含有させることができる一般成分、例えば、抗酸化剤、防腐剤、キレート剤、紫外線吸収剤、色素等を含有させることもできる。
【手続補正１８】
【補正対象書類名】明細書
【補正対象項目名】００２８
【補正方法】変更
【補正の内容】
【００２８】
本精神高揚用組成物を対象物に含有させる場合、ペリラアルデヒド単独の量は、対象物に対して０．０００５〜５０．０質量％であることが、一般的に好適であり、同０．０１〜２０．０質量％であることが、嗜好性を考慮すると、特に好適であり、さらに、同１．０〜１０．０質量％であることが、極めて好適である場合が多い。かかる含有成分量が対象物に対して０．０００５質量％未満であると、他の配合成分の影響を最小限にしても、十分な精神高揚効果が発揮されない傾向があり、同５０．０質量％を超えて配合しても、精神高揚効果を有する成分の含有量に見合った、精神高揚効果の向上は認められなくなり、香気のバランスが一般的に好ましくない傾向が認められる。
【手続補正１９】
【補正対象書類名】明細書
【補正対象項目名】００２９
【補正方法】変更
【補正の内容】
【００２９】
前述のように、含有成分として、ペリラアルデヒドとペリラアルコールを組み合わせて用いることが好適である。この場合のペリラアルコールの配合量は、対象物に対して０．０００５〜５０．０質量％が好適であり、同０．０１〜２０．０質量％が特に好適であり、同１．０〜１０．０質量％が極めて好適である。
【手続補正２０】
【補正対象書類名】明細書
【補正対象項目名】００３９
【補正方法】変更
【補正の内容】
【００３９】
ＣＮＶの振幅の変動は、音刺激後、４００〜１０００msecの初期成分に顕著に現れる。よって、この区間のＣＮＶの振幅の変動面積を、ブランク（無臭刺激の場合）を１００％として比較した百分率（％）で表し、これを精神高揚効果についての指標とした。面積変動が１００％以上の場合は、覚醒効果が、１００％以下の場合は、鎮静効果が認められることを示している。
【手続補正２１】
【補正対象書類名】明細書
【補正対象項目名】００４１
【補正方法】変更
【補正の内容】
【００４１】
その結果を、第１図に示す。第１図により、ピペリトン、アンゲリカ酸イソアミル、クミンアルコール、メンタラクトン、ミリスチン酸エチル、アンゲリカ酸フェニルエチルには、レモンオイルと同様に、精神高揚効果が認められることが明らかになった（ＤＭＭＢにおいては鎮静効果が確認された）。なお、手続補正により、第１図に示されたこれらの香料は、本精神高揚用組成物の必須の構成成分からは除外された。
【手続補正２２】
【補正対象書類名】明細書
【補正対象項目名】００４６
【補正方法】変更
【補正の内容】
【００４６】
以下に、本精神高揚用組成物の具体的な処方例を実施例として以下に示す。実施例１〜４の本精神高揚用組成物は、上記のＣＮＶ試験により、精神高揚効果が認められた。
【手続補正２３】
【補正対象書類名】明細書
【補正対象項目名】００４７
【補正方法】削除
【補正の内容】
【手続補正２４】
【補正対象書類名】明細書
【補正対象項目名】００４８
【補正方法】削除
【補正の内容】
【手続補正２５】
【補正対象書類名】明細書
【補正対象項目名】００４９
【補正方法】削除
【補正の内容】
【手続補正２６】
【補正対象書類名】明細書
【補正対象項目名】００５０
【補正方法】削除
【補正の内容】
【手続補正２７】
【補正対象書類名】明細書
【補正対象項目名】００５１
【補正方法】変更
【補正の内容】
【００５１】
〔実施例１〕  精神高揚用香料組成物
配合成分 配合量（質量部）
Perilla aldehyde                                     ０．５
Perilla alcohol                                      １．０
Methyl jasmonate                                   ２０．０
Lemon oil                                          ２０．０
Vertifix                                           １２．０
Bergamot oil                                       １０．０
Galaxolide（50％）                                 １０．０
Orange oil                                           ７．０
DPG                                                  ５．２
Ethyl linalool                                       ５．０
Musk T                                               ３．０
Dimethyl ethyl phenyl propanal                       ２．０
Isopropyl cyclohexyl methanol                        ２．０
Benzyl acetate                                       １．０
Damascone alpha（10％）                              ０．５
Allylamyl glycolate                                  ０．３
Triplal                                              ０．２
Ambroxan                                             ０．２
Eugenol                                              ０．１
【手続補正２８】
【補正対象書類名】明細書
【補正対象項目名】００５２
【補正方法】変更
【補正の内容】
【００５２】
〔実施例２〕  精神高揚用香料組成物
配合成分 配合量（質量部）
Perilla aldehyde                                     ０．３
Perilla alcohol                                      ０．７
Methyl jasmonate                                   ３０．０
Lemon oil                                          １０．０
Vertofix                                           １０．０
Galaxolide（50％）                                 １０．０
Dihydro myrcenol                                   １０．０
Vertofix coeur                                       ５．０
Mandarine oil                                        ５．０
Lavender oil                                         ５．０
Ethyl linalool                                       ３．０
DPG                                                  ３．５
Myrcenyl acetate                                     ２．０
Dimetol                                              ０．５
Coumarin                                             １．０
Hexyl salicylate                                     １．０
Benzyl acetate                                       ０．５
Patchouli oil                                        ０．５
Cassis base 345 B                                    ０．５
Damascenone （10％）                                 ０．５
Clove oil                                            ０．３
Allylamyl glycolate                                  ０．２
Black pepper oil                                     ０．２
Jasmin oil                                           ０．２
Ambroxan                                             ０．１
【手続補正２９】
【補正対象書類名】明細書
【補正対象項目名】００５３
【補正方法】変更
【補正の内容】
【００５３】
〔実施例３〕  精神高揚用香料組成物
配合成分 配合量（質量部）
Perilla aldehyde                                     ０．３
Perilla alcohol                                      ０．７
Lemon oil                                          １８．０
Orange oil                                         １０．０
Bergamot oil                                       １２．０
Ethyl linalool                                     １０．０
Myrcenyl acetate                                   １５．０
Lime oil                                             ３．０
Geranium oil                                         １．５
Galaxolide（50％）                                 １０．０
Coumarin                                             ０．５
Lavandin oil                                         １．０
Santalex                                             ２．０
Verdox                                               ８．０
β-Naphthylmethyl ether                              １．０
DPG                                                  ７．０
【手続補正３０】
【補正対象書類名】明細書
【補正対象項目名】００５４
【補正方法】変更
【補正の内容】
【００５４】
〔実施例４〕  精神高揚用香料組成物
配合成分 配合量（質量部）
Perilla aldehyde                                     ０．２
Perilla alcohol                                      ０．５
β-Phenylethyl alcohol                             １２．０
Lemon oil                                          ２０．０
Methyl jasmonate                                     ８．０
Isopropyl cyclohexyl methanol                        ８．０
β-ionone                                            ７．０
Dimetol                                              １．０
Bergamot oil                                         ５．０
Ethyl linalool                                       ５．０
Hexyl salicylate                                   １０．０
Galaxolide（50％）                                   ５．０
Benzyl acetate                                       ５．０
Lime oil                                             ３．０
Mandarin oil                                         ２．０
Rose oil                                             １．０
Abs. Jasmin                                          ２．０
cis-3-Hexenol                                        ０．２
DPG                                                  ５．１
【手続補正３１】
【補正対象書類名】明細書
【補正対象項目名】００５６
【補正方法】削除
【補正の内容】
【手続補正３２】
【補正対象書類名】明細書
【補正対象項目名】００５７
【補正方法】削除
【補正の内容】
【手続補正３３】
【補正対象書類名】明細書
【補正対象項目名】００５８
【補正方法】削除
【補正の内容】
【手続補正３４】
【補正対象書類名】明細書
【補正対象項目名】００５９
【補正方法】削除
【補正の内容】
【手続補正３５】
【補正対象書類名】明細書
【補正対象項目名】００６０
【補正方法】削除
【補正の内容】
【手続補正３６】
【補正対象書類名】明細書
【補正対象項目名】００６１
【補正方法】削除
【補正の内容】
【手続補正３７】
【補正対象書類名】明細書
【補正対象項目名】００６２
【補正方法】変更
【補正の内容】
【００６２】
〔実施例５〕  浴剤                                                  
配合成分 配合量（質量部）
炭酸水素ナトリウム                                 ７０．０
無水硫酸ナトリウム                                 ２８．８
実施例３の精神高揚用香料組成物                       １．０
色素Ｙ−２０２−１                                   ０．２
＜製法＞
香料を除いた成分をＶ型ミキサーにて均一になるまで攪拌した後、精神高揚用香料組成物を加え、さらに均一になるまで充分に攪拌して浴剤を得た。
【手続補正３８】
【補正対象書類名】明細書
【補正対象項目名】００６３
【補正方法】変更
【補正の内容】
【００６３】
〔実施例６〕  ゲル芳香剤
配合成分 配合量（質量部）
カラギーナン                                       ３．０
プロピレングリコール                               ２．０
プロピルパラベン                                   ０．３
実施例３の精神高揚用香料組成物                     ５．０
イオン交換水                                     ８９．７
＜製法＞
カラギーナン、プロピレングリコール及びプロピルパラベンを混合して攪拌しながらイオン交換水を加え、これを穏やかに攪拌しながら約８０℃になるまで加熱した。その後、約６５℃とし、これを、ホモジナイザーを用いて３０００rpm で攪拌しながら精神高揚用香料組成物を加えて均一な相とした後、所定の容器に流し込み、自然冷却して芳香剤を得た。
【手続補正３９】
【補正対象書類名】明細書
【補正対象項目名】００６４
【補正方法】変更
【補正の内容】
【００６４】
〔実施例７〕  リキッドタイプ芳香剤
配合成分 配合量（質量部）
９５％エタノール                                   ２５．０
界面活性剤                                         ５．０
実施例３の精神高揚用香料組成物                     ３．０
イオン交換水                                     ６７．０
＜製法＞
イオン交換水を除く各成分を混合し、穏やかに攪拌しながらイオン交換水を加え、均一にして芳香剤を得た。なお、界面活性剤としてポリオキシエチレンノニルフェニルエーテルＥＯ−１３を用いた。
【手続補正４０】
【補正対象書類名】明細書
【補正対象項目名】００６５
【補正方法】変更
【補正の内容】
【００６５】
〔実施例８〕  リキッドタイプ消臭剤
配合成分 配合量（質量部）
消臭原液ＦＳ−５００Ｍ（白井松新薬株式会社製）     ５．０
９５％エタノール                                 １０．０
界面活性剤                                       １０．０
ペリラアルデヒド                                 １０．０
イオン交換水                                       ６５．０
＜製法＞
イオン交換水以外の各成分を混合し、穏やかに攪拌しながらイオン交換水を加えて消臭剤（リキッドタイプ）を得た。なお、界面活性剤としてポリオキシエチレンノニルフェニルエーテルＥＯ−１０を用いた。
【手続補正４１】
【補正対象書類名】明細書
【補正対象項目名】００６６
【補正方法】変更
【補正の内容】
【００６６】
〔実施例９〕  エアゾールタイプ消臭剤
配合成分 配合量（質量部）
消臭原液ＦＳ−５００Ｍ                             ５．０
９５％エタノール                                 ２０．０
ペリラアルデヒド                                 １０．０
イオン交換水                                     ４０．０
液化石油ガス（４Kg/cm2・２０℃）                 ２５．０
＜製法＞
液化石油ガス以外の成分を混合、攪拌して均一とし、所定の量をエアゾール容器に入れてバルブを取り付けた後、液化石油ガスを注入して消臭剤（エアゾールタイプ）を得た。
【手続補正４２】
【補正対象書類名】明細書
【補正対象項目名】００６７
【補正方法】変更
【補正の内容】
【００６７】
〔実施例１０〕  クリーム
配合成分 配合量（質量％）
ステアリン酸                                        １０．０
ステアリルアルコール                                  ４．０
ステアリン酸ブチル                                    ８．０
ステアリン酸モノグリセリンエステル                    ２．０
ビタミンＥアセテート                                  ０．５
ビタミンＡパルミテート                                ０．１
マカデミアナッツ油                                    １．０
茶実油                                                ３．０
グリセリン                                            ４．０
１，２−ペンタンジオール                              ３．０
ヒアルロン酸ナトリウム                                １．０
水酸化カリウム                                        ２．０
アスコルビン酸リン酸マグネシウム                      ０．１
Ｌ−アルギニン塩酸塩                                  ０．０１
エデト酸三ナトリウム                                  ０．０５
実施例４の精神高揚用香料組成物                        ０．４
防腐剤                                                適  量
精製水                                                残  余
＜製法＞
常法によりクリームを得た。
【手続補正４３】
【補正対象書類名】明細書
【補正対象項目名】００６８
【補正方法】変更
【補正の内容】
【００６８】
〔実施例１１〕  クリーム
配合成分 配合量（質量％）
セタノール                                            ４．０
ワセリン                                              ７．０
イソプロピルミリステート                              ８．０
スクワラン                                          １５．０
ステアリン酸モノグリセリンエステル                    ２．２
ＰＯＥ（２０）ソルビタンモノステアレート              ２．８
ビタミンＥニコチネート                                ２．０
グリセリン                                          １０．０
ヒアルロン酸ナトリウム                                ０．０２
ジプロピレングリコール                                ４．０
ピロリドンカルボン酸ナトリウム                        １．０
実施例４の精神高揚用香料組成物                        ０．３
エデト酸二ナトリウム                                  ０．０１
酸化防止剤                                            適  量
防腐剤                                                適  量
精製水                                                残  余
＜製法＞
常法によりクリームを得た。
【手続補正４４】
【補正対象書類名】明細書
【補正対象項目名】００６９
【補正方法】変更
【補正の内容】
【００６９】
〔実施例１２〕  乳液
配合成分 配合量（質量％）
スクワラン                                            ５．０
オレイルオレート                                      ３．０
ワセリン                                              ２．０
ソルビタンセスキオレイン酸エステル                    ０．８
ＰＯＥ（２０）オレイルエーテル                        １．２
月見草油                                              ０．５
１，３−ブチレングリコール                            ４．５
エタノール                                            ３．０
カルボキシビニルポリマー                              ０．２
水酸化カリウム                                        ０．１
Ｌ−アルギニンＬ−アスパラギン酸塩                    ０．０１
エデト酸塩                                            ０．０５
実施例２の精神高揚用香料組成物                        ０．３
防腐剤                                                適  量
精製水                                                残  余
＜製法＞
常法により乳液を得た。